(57)【要約】【課題】表示物を移動する際における表示物の脱落を防止すると共に、過重量の表示物を確実に保持する表示物保持器を提供する。【解決手段】設置面Ｂに配置される支持部１５と、支持部１５に固定される軸部２１と、軸部２１を中心に揺動し得られ且つ複数の所定位置で仮止めし得るよう軸部２１に嵌装した揺動部２９と、揺動部２９より突出して平板状の表示物Ｐを挾持し得る複数の保持部４０とを備え、表示物Ｐが過重量である際には複数の保持部４０で表示物Ｐを挾持するよう構成する。【選択図】　　　　図２
2004029429.tif 000002
【特許請求の範囲】
【請求項１】
設置面に配置される支持部と、該支持部に固定される軸部と、該軸部を中心に揺動し得られ且つ複数の所定位置で仮止めし得るよう軸部に嵌装した揺動部と、該揺動部より突出して平板状の表示物を挾持し得る複数の保持部とを備え、前記表示物が過重量である際には複数の保持部で表示物を挾持するよう構成したことを特徴とする表示物保持器。
【請求項２】
設置面に配置される支持部と、該支持部に固定される軸部と、該軸部を中心に揺動し得られ且つ複数の所定位置で仮止めし得るよう軸部に嵌装した揺動部と、該揺動部より突出して表示物を挾持し得る複数の保持部とを備え、複数の保持部のうち少なくとも一つ以上は幟旗の表示物を挾持し得るよう構成されたことを特徴とする表示物保持器。
【請求項３】
設置面に配置される支持部と、該支持部に固定される軸部と、該軸部を中心に揺動し得られる揺動部と、該揺動部より突出する棒状部と、該棒状部に備えられて表示物を挾持し得る保持部とを備えたことを特徴とする表示物保持器。
【請求項４】
棒状部を延在方向に伸縮可能に構成した請求項３に記載の表示物保持器。
【請求項５】
棒状部を軸転可能に構成した請求項３又は４記載の表示物保持器。
【請求項６】
揺動部を配置し且つ軸部を固定し得るよう支持部に腕部を備え、腕部には軸部の周方向に位置する複数の係止孔を形成すると共に、揺動部には弾性体により係止孔の１つに押付けられるボール部を備え、ボール部が係止孔に位置する際には揺動部を仮止めし得るよう構成した請求項１〜５のいずれかに記載の表示物保持器。
【請求項７】
揺動部に、弾性体により係止孔の１つに押付けられるボール部を複数備え、複数のボール部が係止孔に位置する際には揺動部を仮止めし得るよう構成した請求項６記載の表示物保持器。
【請求項８】
支持部に備えられる腕部には、軸部の周方向に沿って形成される長孔を備え、揺動部には、揺動部の回転に伴って長孔の内部を移動するストッパ部材を備えた請求項１〜７のいずれかに記載の表示物保持器。
【発明の詳細な説明】
【０００１】
【発明の属する技術分野】
本発明は、プレート等の表示物を支持する表示物保持器に関するものである。
【０００２】
【従来の技術】
一般に、パチンコ、スロット等には、図２１、図２２に示す如く、プレート等の表示物Ｐを保持するための表示物保持器１が取り付けられている。
【０００３】
プレート等の表示物Ｐには、大当りを示す絵や文字、リーチ目表等の情報が記載されており、その遊戯台が大当りしたことや、種々の情報等を表わすようになっている。
【０００４】
表示物保持器１は、パチンコ、スロット等の上部に両面テープ等の接着部２を介して固定される平坦な取付部３を備え、取付部３には、スポット溶接等により取付部３の前面に固定される連結部４と、連結部４の両端から反取付部側へ夫々延在する腕部５とにより構成される支持部６を備えている。
【０００５】
支持部６の両側の腕部５には、腕部５と平行な２本の切り目７を夫々入れ、切り目７の間の部分を内側へ曲げ加工して山型の係止部８を形成しており、山型の係止部８には、端部９を係止することによって、両側の腕部５の間に数枚の表示物Ｐを挿入保持可能なコイルバネ１０を配置している。
【０００６】
表示物保持器１に表示物Ｐを取り付ける際には、表示物Ｐをコイルバネ１０の巻線の間へ差し入れることにより表示物Ｐを挟持しており、この時、コイルバネ１０は何周にも巻かれているため、表示物Ｐを差し入れる箇所が多数存在し、複数の表示物Ｐを挟持させることが可能となる。
【０００７】
【発明が解決しようとする課題】
しかしながら、従来の表示物保持器１では、表示物Ｐの角度を変更する際に表示物Ｐをコイルバネ１０の周方向にスライドして移動させる必要があるため、スライド時に表示物Ｐがコイルバネ１０から誤って脱落する虞れがあり、又、表示物Ｐを所定の角度で係止させる際には、目測で係止位置を決定するため、表示物Ｐを確実に所定位置に配置することができないという問題があった。更に、表示物Ｐの一部をコイルバネ１０の巻線で挾持するため、表示物Ｐが過重量の場合には十分に保持することができず、コイルバネ１０の巻線から脱落するという問題があった。
【０００８】
本発明は、上述の実情に鑑み、表示物を移動する際における表示物の脱落を防止すると共に、過重量の表示物を確実に保持する表示物保持器を提供することを目的とするものである。
【０００９】
【課題を解決するための手段】
本発明の請求項１は、設置面に配置される支持部と、該支持部に固定される軸部と、該軸部を中心に揺動し得られ且つ複数の所定位置で仮止めし得るよう軸部に嵌装した揺動部と、該揺動部より突出して平板状の表示物を挾持し得る複数の保持部とを備え、前記表示物が過重量である際には複数の保持部で表示物を挾持するよう構成したことを特徴とする表示物保持器、に係るものである。
【００１０】
本発明の請求項２は、設置面に配置される支持部と、該支持部に固定される軸部と、該軸部を中心に揺動し得られ且つ複数の所定位置で仮止めし得るよう軸部に嵌装した揺動部と、該揺動部より突出して表示物を挾持し得る複数の保持部とを備え、複数の保持部のうち少なくとも一つ以上は幟旗の表示物を挾持し得るよう構成されたことを特徴とする表示物保持器、に係るものである。
【００１１】
本発明の請求項３は、設置面に配置される支持部と、該支持部に固定される軸部と、該軸部を中心に揺動し得られる揺動部と、該揺動部より突出する棒状部と、該棒状部に備えられて表示物を挾持し得る保持部とを備えたことを特徴とする表示物保持器、に係るものである。
【００１２】
本発明の請求項４は、棒状部を延在方向に伸縮可能に構成した請求項３に記載の表示物保持器、に係るものである。
【００１３】
本発明の請求項５は、棒状部を軸転可能に構成した請求項３又は４記載の表示物保持器、に係るものである。
【００１４】
本発明の請求項６は、揺動部を配置し且つ軸部を固定し得るよう支持部に腕部を備え、腕部には軸部の周方向に位置する複数の係止孔を形成すると共に、揺動部には弾性体により係止孔の１つに押付けられるボール部を備え、ボール部が係止孔に位置する際には揺動部を仮止めし得るよう構成した請求項１〜５のいずれかに記載の表示物保持器、に係るものである。
【００１５】
本発明の請求項７は、揺動部に、弾性体により係止孔の１つに押付けられるボール部を複数備え、複数のボール部が係止孔に位置する際には揺動部を仮止めし得るよう構成した請求項６記載の表示物保持器、に係るものである。
【００１６】
本発明の請求項８は、支持部に備えられる腕部には、軸部の周方向に沿って形成される長孔を備え、揺動部には、揺動部の回転に伴って長孔の内部を移動するストッパ部材を備えた請求項１〜７のいずれかに記載の表示物保持器、に係るものである。
【００１７】
表示物を保持する際には、保持部により表示物を挟持して保持し、表示物を移動する際には、揺動部を軸部に対して揺動することにより表示物を保持部ごと移動し、表示物を所定位置に配置する際には、揺動部を軸部に対して所定位置で仮止めすることにより保持部及び表示物を所定位置に配置する。
【００１８】
ここで、揺動部は、ボール部を弾性体により腕部の係止孔に押付けることにより仮止めされており、揺動部が軸部に対して揺動する際には、揺動部のボール部が腕部の係止孔から隣接する係止孔へ移動している。
【００１９】
このように、請求項１によれば、揺動部を軸部に対して揺動し得るので、表示物を保持部ごと移動し、表示物を移動する際に表示物の脱落を確実に防止することができる。又、揺動部を軸部に対して所定位置で仮止めし得るので、保持部及び表示物を所定位置で確実に係止することができる。更に、表示物が過重量である際には複数の保持部で表示物を挾持するので、過重量の表示物を確実に保持することができる。
【００２０】
請求項２によれば、揺動部を軸部に対して揺動し得るので、表示物を保持部ごと移動し、表示物を移動する際の表示物の脱落を確実に防止することができる。又、揺動部を軸部に対して所定位置で仮止めし得るので、保持部及び表示物を所定位置で確実に係止することができる。更に、複数の保持部のうち少なくとも一つ以上は幟旗の表示物を挾持し得るので、多様な表示を為し得るよう表示の自由度を高めると共に美観を向上することができる。
【００２１】
請求項３によれば、揺動部を軸部に対して揺動し得るので、表示物を棒状部及び保持部ごと移動し、表示物を移動する際の表示物の脱落を確実に防止することができる。又、棒状部により表示物を高い位置に配置し得るので、表示物の注目度を高めることができる。
【００２２】
請求項４の如く、棒状部を延在方向に伸縮可能に構成すると、棒状部により表示物を一層高い位置に配置し得るので、表示物の注目度を確実に高めることができる。又、請求項５の如く、棒状部を軸転可能に構成すると、棒状部により表示物を最適な方向に配置し得るので、表示物の注目度を更に高めることができる。
【００２３】
請求項６の如く、揺動部を配置し且つ軸部を固定し得るよう支持部に腕部を備え、腕部には軸部の周方向に位置する複数の係止孔を形成すると共に、揺動部には弾性体により係止孔の１つに押付けられるボール部を備え、ボール部が係止孔に位置する際には揺動部を仮止めし得るよう構成すると、回転軸心から係止孔まで、すなわち回転軸心から仮止めする作用点までの距離を長く取り得るので、腕部における揺動部の仮止めの力を強くし、結果的に、表示物が過重量の場合であっても揺動部の仮止めを維持し、過重量の表示物を確実に保持することができる。又、揺動部の仮止めを単純な構成で為し得るので、低コストで形成し且つ故障を防止することができる。
【００２４】
請求項７の如く、揺動部に、弾性体により係止孔の１つに押付けられるボール部を複数備え、複数のボール部が係止孔に位置する際には揺動部を仮止めし得るよう構成すると、複数のボール部と共に弾性体の数が増すので、腕部における揺動部の仮止めの力を更に強くすることができる。
【００２５】
請求項８の如く、支持部に備えられる腕部には、軸部の周方向に沿って形成される長孔を備え、揺動部には、揺動部の回転に伴って長孔の内部を移動するストッパ部材を備えると、ストッパ部材により揺動部の揺動範囲を規制するので、保持部の移動範囲を安定的な位置に制限すると共に、表示物保持器を複数配置した際には、保持部の移動限界の位置を揃えて美観を高めることができる。
【００２６】
【発明の実施の形態】
以下、本発明の実施の形態を図面に基づいて説明する。
【００２７】
図１〜図８は本発明を実施する形態の第一例を示すものであって、表示物は従来例と同一の符号で表わしている。
【００２８】
第一例の表示物保持器１１は平坦な薄い可撓性の取付部１２を備え、取付部１２には、スポット溶接等により取付部１２の前面に固定される連結部１３と、連結部１３の一端から反取付部側へ延在する第一の腕部１４ａと、連結部１３の他端から反取付部側へ延在する第二の腕部１４ｂとにより構成される支持部１５を備え、第一の腕部１４ａには、軸心に位置する中心孔１６、及び中心孔１６の周囲に位置する複数の係止孔１７（図３では７個）を夫々穿設し、第二の腕部１４ｂには、第一の腕部１４ａの中心孔１６に対応するネジ用中心孔１８と、係止孔１７の一つに対応する挿入孔１９とを夫々穿設し、取付部１２の略全体後面には設置面Ｂに取り付け得るよう両面テープ等の接着部Ｇを貼付している。ここで、取付部１２の後面には、設置面Ｂに取り付け得るよう吸盤を備えてもよく、又、設置する場所の板状部に挟み込んで取り付けるようクリップ状の締結部を備えてもよい。
【００２９】
第一の腕部１４ａと第二の腕部１４ｂの間には、図５に示す如く、取付部１２に略平行に位置し且つ軸心に所定の軸心孔２０を形成する軸部２１を配置しており、軸部２１の一方の端面には、軸心孔２０を塞ぎ且つ軸部２１の径より大径の傘部２２を備え、軸部２１の他方の端面には、ボルト孔２３を備えたインサート部材２４を軸心孔２０に圧入している。ここで、第一の腕部１４ａと第二の腕部１４ｂの間に軸部２１を取り付ける際には、軸部２１を第一の腕部１４ａの中心孔１６に挿通し、軸部２１のインサート部材２４に、第二の腕部１４ｂのネジ用中心孔１８を介してネジ２５を締結し、第二の腕部１４ｂの外面には、軸部２１の傘部２２と略同形に形成され且つ内面に環状体２６を備えた傘部材２７を配置し、傘部材２７は、ネジ２５の皿２８に環状体２６を外嵌することにより固定されている。
【００３０】
軸部２１の外周には、図６、図７に示す如く、環状に形成された一個の揺動部２９を外嵌し、揺動部２９の周囲面３０には、径方向に延在する所定深さの挿入穴３１を所定の位置で二つ形成すると共に、揺動部２９の側面３２には、挿入穴３１へ夫々貫通する係止用ネジ孔３３を備えている。又、揺動部２９の側面３２には、揺動部２９の幅方向に貫通する押付け用ネジ孔３４を備え、押付け用ネジ孔３４には、第一の腕部１４ａに形成された複数の係止孔１７もしくは係止孔１７の間の面に接するようボール部３５を配し、且つボール部３５を第一の腕部の係止孔１７等に押付けるようスプリング等の弾性体３６を挿入し、セットボルト３７により締結している。
【００３１】
揺動部２９の外周には、表示物Ｐを挿入保持可能なコイルバネ３８と、コイルバネ３８から延在する略直線の単線３９とから構成される複数の保持部４０（図では二本）を備えており、保持部４０は、単線３９を揺動部２９の挿入穴３１に挿入し且つ係止用ネジ孔３３にセットボルト４１を締結することにより、揺動部２９に固定されている。又、保持部４０における単線３９には凹部４２を形成することによりセットボルト４１からズレないようになっている。
【００３２】
ここで、揺動部２９を第一の腕部１４ａと第二の腕部１４ｂの間に配置して組み立てる際には、初めに、保持部４０を備えた揺動部２９を配置し、第二の腕部の挿入孔１９より揺動部２９の押付け用ネジ孔３４にボール部３５、弾性体３６、セットボルト３７を挿入して締結し、次に、軸部２１を挿入して締結することにより揺動部２９を仮止め及び揺動可能にしている。なお、セットボルト３７は締結状態を調整することにより弾性体３６の強さを加減し、ボール部３５の押付け力（揺動部２９の仮止めの力）を調整可能にしている。
【００３３】
以下、本発明を実施する形態の第一例の作用を説明する。
【００３４】
先に、表示物保持器１１をパチンコ、スロット等に取り付ける際には、接着部Ｇにより垂直な平坦面もしくは曲面等の設置面Ｂに取り付け、設置面Ｂが曲面の場合には、薄い可撓性の取付部１２を湾曲することにより追随させている。
【００３５】
プレート、写真等の平板状の表示物Ｐを保持部４０で保持する際には、一枚の表示物Ｐを一本のコイルバネ３８の巻線の間へ差し込むことにより表示物Ｐを挟持して保持する。又、一枚の表示物Ｐが大きく過重量である場合には、図８に示す如く、表示物Ｐを複数のコイルバネ３８（図８では二本）の巻線の間へ差し込むことにより過重量の表示物Ｐを挾持して保持する。
【００３６】
表示物Ｐを移動する際には、揺動部２９を軸部２１に対して揺動することにより表示物Ｐを保持部４０ごと移動する。この時、揺動部２９のボール部３５は、弾性体３６に押え付けられつつ第一の腕部１４ａの係止孔１７から隣接する係止孔１７へ移動する。一方、表示物Ｐを所定位置に配置する際には、ボール部３５を弾性体３６により第一の腕部１４ａの係止孔１７に押付けて係止させることから、揺動部２９を第一の腕部１４ａに対して所定位置で仮止めし、保持部４０及び表示物Ｐを所定位置に配置する。ここで、第一の腕部１４ａの係止孔１７を軸心中心に周方向へ略３０゜ずつズラして形成した場合には、ボール部３５を略３０゜ごとの係止孔１７に係止させることにより、揺動部２９を軸部２１周方向へ略３０゜ごとの所定位置に仮止めし、保持部４０及び表示物Ｐを略３０゜ごとの所定位置に配置する。
【００３７】
このように、揺動部２９を軸部２１に対して揺動し得るので、表示物Ｐを保持部４０ごと移動し、表示物Ｐを移動する際に表示物Ｐの脱落を確実に防止することができる。又、揺動部２９を軸部２１に対して所定位置で仮止めし得るので、保持部４０及び表示物Ｐを所定位置で確実に係止することができる。更に、一枚の表示物Ｐが過重量である際には複数の保持部４０で表示物Ｐを挾持するので、過重量の表示物Ｐを確実に保持することができる。
【００３８】
揺動部２９を配置し且つ軸部２１を固定し得るよう支持部１５に第一の腕部１４ａ、第二の腕部１４ｂを備え、第一の腕部１４ａには軸部２１の周方向に位置する複数の係止孔１７を形成すると共に、揺動部２９には弾性体３６により係止孔１７の１つに押付けられるボール部３５を備え、ボール部３５が係止孔１７に位置する際には揺動部２９を仮止めし得るよう構成すると、回転軸心から係止孔１７まで、すなわち回転軸心から仮止めする作用点までの距離を長く取り得るので、第一の腕部１４ａ、第二の腕部１４ｂにおける揺動部２９の仮止めの力を強くし、結果的に、表示物Ｐが過重量の場合であっても揺動部２９の仮止めを維持し、過重量の表示物Ｐを確実に保持することができる。又、仮止めの力は、軸部２１の径の影響を受けることがなく係止孔１７の配置により設定し得るので、第一の腕部１４ａ、第二の腕部１４ｂ、及び軸部２１の形状、材質を設定する自由度を高くすることができる。更に、揺動部２９の仮止めを単純な構成で為し得るので、低コストで形成し且つ故障を防止することができる。更に又、第一の腕部１４ａに係止孔１７を形成すると共に、第二の腕部１４ｂに組み立て用の挿入孔１９を形成するので、組み立てを容易に行うことができる。
【００３９】
図９、図１０は本発明を実施する形態の第二例を示すものであって、図１〜図８と同一の符号を付した部分は同一物を表わしている。
【００４０】
第二例の表示物保持器５１は、第一例の表示物保持器１１の保持部４０の一つを変形したものであり、変形した保持部５２は、表示物（幟旗）Ｆを保持し得るよう筒状空間を備えるコイルバネ５３と、コイルバネ５３から延在する略直線の単線５４とから構成されており、第一例と略同様に揺動部２９に固定されている。又、コイルバネ５３の筒状内部は、中途位置から外方端に向かって内部の径が徐々に大きくなっている。ここで、表示物保持器５１は、表示物Ｐの保持部４０に代わって全てに表示物Ｆの保持部４０を備えてもよい。
【００４１】
以下、本発明を実施する形態の第二例の作用を説明する。
【００４２】
幟旗等の旗支持棒Ｓを備えた表示物Ｆを挾持する際には、旗支持棒Ｓをコイルバネ５３の筒状空間に外方端より挿入することにより、旗支持棒Ｓをコイルバネ５３の内周部で挾持して保持する。表示物Ｆを移動する際には、第一例と略同様に移動する。
【００４３】
このように、第一例と略同様に揺動部２９を軸部２１に対して揺動し得るので、表示物Ｆを保持部５２ごと移動し、表示物Ｆ，Ｐを移動する際に表示物Ｆ，Ｐの脱落を確実に防止することができる。又、第一例と略同様に揺動部２９を軸部２１に対して所定位置で仮止めし得るので、保持部５２及び表示物Ｆ，Ｐを所定位置で確実に係止することができる。更に、複数の保持部５２のうち少なくとも一つ以上は幟旗の表示物Ｆを挾持し得るので、多様な表示を為し得るよう表示の自由度を高めると共に美観を向上することができる。更に又、本発明を実施する形態の第二例は、第一例と同様の作用効果を得ることができる。
【００４４】
図１１、図１２は本発明を実施する形態の第三例を示すものである。図１〜図８と同一の符号を付した部分は同一物を表わしている。
【００４５】
第三例の表示物保持器６１は平坦な薄い可撓性の取付部６２を備え、取付部６２には、スポット溶接等により取付部６２の前面に固定される連結部１３と、図５と略同様に、連結部１３の一端から反取付部側へ延在する第一の腕部１４ａと、連結部１３の他端から反取付部側へ延在する第二の腕部１４ｂとにより構成される支持部１５を備え、第一の腕部１４ａには中心孔１６を夫々穿設し、第二の腕部１４ｂには、第一の腕部１４ａの中心孔１６に対応するネジ用中心孔１８を穿設し、取付部１２の略全体後面には設置面Ｂに取り付け得るよう両面テープ等の接着部Ｇを貼付している。ここで、取付部１２の後面には、設置面Ｂに取り付け得るよう吸盤を備えてもよく、又、設置する場所の板状部に挟み込んで取り付けるようクリップ状の締結部を備えてもよい。
【００４６】
第一の腕部１４ａと第二の腕部１４ｂの間には、取付部１２に略平行に位置する軸部２１を配置しており、軸部２１の一方の端面には、軸心孔２０を塞ぎ且つ軸部２１の径より大径の傘部２２を備え、軸部２１の他方の端面には、ボルト孔２３を備えたインサート部材２４を軸心孔２０に圧入している。ここで、第一の腕部１４ａと第二の腕部１４ｂの間に軸部２１を取り付ける際には、ネジ２５及び傘部材２７を用いて配置している。
【００４７】
軸部２１の外周には、所定の摩擦力で摺動して回転し得る揺動部２９を備えると共に揺動部２９の周囲面３０には所定長さの棒状部６３を備えており、棒状部６３の中途位置には、図１２に示す如く一個の環状部６４を配置し、環状部６４の周囲面６５には、棒状部６３を挿通させるよう環状部６４を貫通する貫通孔６６を形成すると共に、径方向に延在する所定深さの挿入穴６７を所定の位置で二つ形成しており、環状部６４の一方の側面６８には、貫通孔６６に連通する固定用孔６９と、挿入穴６７へ夫々連通する係止用ネジ孔７０と、傘部材７１を取り付ける複数の取付穴７２を形成している。ここで、棒状部６３は、環状部６４の固定用孔６９にセットボルト７３を締結することにより固定されており、傘部材７１は、環状部６４の側面の美観を向上させるよう、取付穴７２に傘部材７１の突起を挿入して取り付けている。又、図１１中、７４は棒状の先端の美観を高めるボール体である。
【００４８】
更に、環状部６４の外周には、第一例と略同様に、表示物Ｐを挿入保持可能なコイルバネ７５と、コイルバネ７５から延在する略直線の単線７６とから構成される複数の保持部７７（図１１では二本）を備え、保持部７７は、第一例の保持部４０と略同様に取り付られている。ここで、保持部７７は、コイルバネ７５の代わりに第二例に示した表示物（幟旗）Ｆの保持部５２を備えてもよい。
【００４９】
以下、本発明を実施する形態の第三例の作用を説明する。
【００５０】
第三例の表示物保持器６１をパチンコ、スロット等に取り付ける際には、第一例と略同様に取り付け、且つ同様にプレート、写真等の平板状の表示物Ｐを保持部７７で保持する。ここで、一枚の表示物Ｐが大きく過重量である場合には、表示物Ｐを複数のコイルバネ７５の巻線の間へ差し込むことにより過重量の表示物Ｐを挾持して保持してもよい。
【００５１】
表示物Ｐを移動する際には、軸部２１に対して揺動部２９を揺動すると同時に摺動することにより表示物Ｐを棒状部６３及び保持部７７ごと移動する。一方、表示物Ｐを所定位置に配置する際には、軸部２１と揺動部２９の摩擦力により仮止めし、棒状部６３、保持部７７及び表示物Ｐを所定位置に配置する。
【００５２】
このように、第一例と略同様に揺動部２９を軸部２１に対して揺動し得るので、表示物Ｐを保持部７７ごと移動し、表示物Ｐを移動する際に表示物Ｐの脱落を確実に防止することができる。又、棒状部６３により表示物Ｐを高い位置に配置し得るので、表示物Ｐの注目度を高めることができる
【００５３】
図１３〜図２０は本発明を実施する形態の第四例を示すものである。図１〜図８と同一の符号を付した部分は同一物を表わしている。
【００５４】
第四例の表示物保持器８１は平坦な薄い可撓性の取付部８２を備え、取付部８２には、スポット溶接等により取付部８２の前面に固定される連結部８３と、連結部８３の一端から反取付部側へ延在する第一の腕部８４ａと、連結部８３の他端から反取付部側へ延在する第二の腕部８４ｂとにより構成される支持部８５を備え、第一の腕部８４ａには、軸心に位置する中心孔８６、及び中心孔８６の周囲に位置する複数の係止孔８７（図１５では７個）を夫々穿設し、第二の腕部８４ｂには、第一の腕部８４ａの中心孔８６に対応するネジ用中心孔８８と、係止孔８７の二つに対応する二つ挿入孔８９と、ネジ用中心孔８８の周方向に沿って形成される長孔９０とを夫々穿設し、取付部８２の略全体後面には設置面Ｂに取り付け得るよう両面テープ等の接着部Ｇを貼付している。ここで、取付部８２の後面には、設置面Ｂに取り付け得るよう吸盤を備えてもよく、又、設置する場所の板状部に挟み込んで取り付けるようクリップ状の締結部を備えてもよい。
【００５５】
第一の腕部８４ａと第二の腕部８４ｂの間には、図５と略同様に取付部８２に略平行に位置し且つ軸心に所定の軸心孔２０を形成する軸部２１を配置しており、軸部２１の一方の端面には、軸心孔２０を塞ぎ且つ軸部２１の径より大径の傘部２２を備え、軸部２１の他方の端面には、ボルト孔２３を備えたインサート部材２４を軸心孔２０に圧入している。ここで、一対の腕部８４ａと第二の腕部８４ｂの間に軸部２１を取り付ける際には、ネジ２５及び傘部材２７を用いて配置している。
【００５６】
軸部２１の外周には、環状に形成された一個の揺動部９１を外嵌し、揺動部９１の周囲面９２には差込穴９３を形成して所定長さの棒状部９４を挿入している。又、揺動部９１の側面９５には、棒状部９４を固定ピン９６により揺動部９１に固定する固定孔９７と、揺動部９１の幅方向に貫通する二つの押付け用ネジ孔９８と、ロールピンのストッパ部材９９を挿入し得るストッパ用取付穴１００とを備えており、押付け用ネジ孔９８には、夫々、第一例と略同様に、第一の腕部８４ａに形成された複数の係止孔８７もしくは係止孔８７の間の面に接するようボール部１０１を配し、且つボール部１０１を第一の腕部８４ａの係止孔８７等に押付けるようスプリング等の弾性体１０２を挿入し、セットボルト１０３により締結している。
【００５７】
揺動部９１に備えられた棒状部９４は、複数の筒状部材１０４を入れ子状に備えて延在方向に伸縮可能（テレスコピック状）に構成されると共に、筒状部材１０４を他の筒状部材１０４に対して軸転可能に構成されている。ここで棒状部９４は、所定の強度を備えて伸縮するものならばどのような構成でもよい。又、図１３中、１０５は、棒状の先端の美観を高めるボール体である。
【００５８】
棒状部９４の中途部に位置する筒状部材１０４には、第三例と略同様に、一個の環状部６４を配置し、環状部６４の外周には、表示物Ｐを挿入保持可能なコイルバネ７５と、コイルバネ７５から延在する略直線の単線７６とから構成される複数の保持部７７（図１３、図１４では二本）を備えている。ここで、保持部７７は、コイルバネ７５の代わりに第二例に示した表示物（幟旗）Ｆの保持部５２を備えてもよい。
【００５９】
ここで、揺動部９１を第一の腕部８４ａと第二の腕部８４ｂの間に配置して組み立てる際には、初めに、棒状部９４を備えた揺動部９１を配置し、第二の腕部８４ｂの挿入孔８９より揺動部９１の二つの押付け用ネジ孔９８に、夫々、ボール部１０１、弾性体１０２、セットボルト１０３を挿入して締結し、且つストッパ用取付穴１００にロールピンのストッパ部材９９を挿入して揺動部９１の回転に伴うよう長孔９０の内部を移動可能にし、次に、軸部２１を挿入して締結することにより揺動部９１を仮止め及び揺動可能にして組み立てている。なお、セットボルト１０３は締結状態を調整することにより弾性体１０２の強さを加減し、ボール部１０１の押付け力（揺動部２９の仮止めの力）を調整可能にしている。
【００６０】
以下、本発明を実施する形態の第四例の作用を説明する。
【００６１】
先に、第四例の表示物保持器８１をパチンコ、スロット等に取り付ける際には、接着部Ｇにより、水平面、垂直な平坦面もしくは曲面等の設置面Ｂ（図１３、図１４、図２０は水平面）に取り付け、設置面Ｂが曲面の場合には、薄い可撓性の取付部８２を湾曲することにより追随させている。
【００６２】
プレート、写真等の平板状の表示物Ｐを保持部７７で保持する際には、一枚の表示物Ｐを一本のコイルバネ７５の巻線の間へ差し込むことにより表示物Ｐを挟持して保持する。又、一枚の表示物Ｐが大きく過重量である場合には、図２０に示す如く表示物Ｐを複数のコイルバネ７５の巻線の間へ差し込むことにより過重量の表示物Ｐを挾持して保持する。
【００６３】
表示物Ｐを移動する際には、揺動部９１を軸部２１に対して揺動することにより表示物Ｐを棒状部９４及び保持部７７ごと移動する。この時、揺動部９１の二つのボール部１０１は、夫々、弾性体１０２に押え付けられつつ第一の腕部８４ａの係止孔８７から隣接する係止孔８７へ移動する。一方、表示物Ｐを所定位置に配置する際には、二つのボール部１０１を弾性体１０２により第一の腕部８４ａの係止孔８７に押付けて係止させることから、揺動部９１を第一の腕部８４ａに対して所定位置で仮止めし、保持部７７及び表示物Ｐを所定位置に配置する。
【００６４】
このように、第一例と略同様に、揺動部９１を軸部２１に対して揺動し得るので、表示物Ｐを棒状部９４及び保持部７７ごと移動し、表示物Ｐを移動する際に表示物Ｐの脱落を確実に防止することができる。又、揺動部９１を軸部２１に対して所定位置で仮止めし得るので、棒状部９４、保持部７７及び表示物Ｐを所定位置で確実に係止することができる。更に、一枚の表示物Ｐが過重量である際には複数の保持部７７で表示物Ｐを挾持するので、過重量の表示物Ｐを確実に保持することができる。更に又、棒状部９４により表示物Ｐを高い位置に配置し得るので、表示物Ｐの注目度を高めることができる。
【００６５】
棒状部９４を延在方向に伸縮可能に構成すると、棒状部９４により表示物Ｐを一層高い位置に配置し得るので、表示物Ｐの注目度を確実に高めることができ、又、棒状部９４を軸転可能に構成すると、棒状部９４により表示物Ｐを最適な方向に配置し得るので、表示物Ｐの注目度を更に高めることができる。
【００６６】
揺動部９１に、弾性体１０２により係止孔８７の１つに押付けられるボール部１０１を複数備え、複数のボール部１０１が係止孔８７に位置する際には揺動部９１を仮止めし得るよう構成すると、複数のボール部１０１に対応して弾性体１０２の数を増やすので、第一の腕部８４ａにおける揺動部９１の仮止めの力を更に強くすることができる。
【００６７】
支持部８５に備えられる第二の腕部８４ｂには、軸部２１の周方向に沿って形成される長孔９０を備え、揺動部９１には、揺動部９１の回転に伴って長孔９０の内部を移動するストッパ部材９９を備えると、ストッパ部材９９により揺動部９１の揺動範囲を規制するので、棒状部９４が下方に撓むような配置をなくすよう保持部７７の移動範囲を安定的な位置に制限すると共に、表示物保持器８１を複数配置した際には、保持部７７の移動限界の位置を揃えて美観を高めることができる。
【００６８】
又、本発明を実施する形態の第四例は、第一例と同様の作用効果を得ることができる。
【００６９】
尚、本発明は、上述の実施の形態にのみ限定されるものではなく、第一例及び第二例に、複数のボール体、弾性体、ストッパー部を備えてもよいこと、第三例の棒状部を伸縮可能もしくは揺動部を仮止め可能にしてもよいこと、その他、本発明の要旨を逸脱しない範囲内において種々変更を加え得ることは勿論である。
【００７０】
【発明の効果】
以上説明したように、本発明の表示物保持器によれば、下記の如き、種々の優れた効果を奏し得る。
【００７１】
Ｉ）請求項１によれば、揺動部を軸部に対して揺動し得るので、表示物を保持部ごと移動し、表示物を移動する際に表示物の脱落を確実に防止することができる。又、揺動部を軸部に対して所定位置で仮止めし得るので、保持部及び表示物を所定位置で確実に係止することができる。更に、表示物が過重量である際には複数の保持部で表示物を挾持するので、過重量の表示物を確実に保持することができる。
【００７２】
ＩＩ）請求項２によれば、揺動部を軸部に対して揺動し得るので、表示物を保持部ごと移動し、表示物を移動する際の表示物の脱落を確実に防止することができる。又、揺動部を軸部に対して所定位置で仮止めし得るので、保持部及び表示物を所定位置で確実に係止することができる。更に、複数の保持部のうち少なくとも一つ以上は幟旗の表示物を挾持し得るので、多様な表示を為し得るよう表示の自由度を高めると共に美観を向上することができる。
【００７３】
ＩＩＩ）請求項３によれば、揺動部を軸部に対して揺動し得るので、表示物を棒状部及び保持部ごと移動し、表示物を移動する際の表示物の脱落を確実に防止することができる。又、棒状部により表示物を高い位置に配置し得るので、表示物の注目度を高めることができる。
【００７４】
ＩＶ）請求項４の如く、棒状部を延在方向に伸縮可能に構成すると、棒状部により表示物を一層高い位置に配置し得るので、表示物の注目度を確実に高めることができる。又、請求項５の如く、棒状部を軸転可能に構成すると、棒状部により表示物を最適な方向に配置し得るので、表示物の注目度を更に高めることができる。
【００７５】
Ｖ）請求項６の如く、揺動部を配置し且つ軸部を固定し得るよう支持部に腕部を備え、腕部には軸部の周方向に位置する複数の係止孔を形成すると共に、揺動部には弾性体により係止孔の１つに押付けられるボール部を備え、ボール部が係止孔に位置する際には揺動部を仮止めし得るよう構成すると、回転軸心から係止孔まで、すなわち回転軸心から仮止めする作用点までの距離を長く取り得るので、腕部における揺動部の仮止めの力を強くし、結果的に、表示物が過重量の場合であっても揺動部の仮止めを維持し、過重量の表示物を確実に保持することができる。又、揺動部の仮止めを単純な構成で為し得るので、低コストで形成し且つ故障を防止することができる。
【００７６】
ＶＩ）請求項７の如く、揺動部に、弾性体により係止孔の１つに押付けられるボール部を複数備え、複数のボール部が係止孔に位置する際には揺動部を仮止めし得るよう構成すると、複数のボール部と共に弾性体の数を増すので、腕部における揺動部の仮止めの力を更に強くすることができる。
【００７７】
ＶＩＩ）請求項８の如く、支持部に備えられる腕部には、軸部の周方向に沿って形成される長孔を備え、揺動部には、揺動部の回転に伴って長孔の内部を移動するストッパ部材を備えると、ストッパ部材により揺動部の揺動範囲を規制するので、保持部の移動範囲を安定的な位置に制限すると共に、表示物保持器を複数配置した際には、保持部の移動限界の位置を揃えて美観を高めることができる。
【図面の簡単な説明】
【図１】本発明を実施する形態の第一例を示す概略正面図である。
【図２】本発明を実施する形態の第一例を示す概略側面図である。
【図３】支持部の第一腕部を示す概略側面図である。
【図４】支持部の第二腕部を示す概略側面図である。
【図５】支持部に軸部を備えた状態を示す縦断正面図である。
【図６】軸部に揺動部を備えた状態を示す縦断側面図である。
【図７】軸部に揺動部を備えた状態を示す縦断正面図である。
【図８】過重量の表示物を保持した状態を示す概略側面図である。
【図９】本発明を実施する形態の第二例を示す概略正面図である。
【図１０】本発明を実施する形態の第二例を示す概略側面図である。
【図１１】本発明を実施する形態の第三例を示す概略側面図である。
【図１２】棒状部に環状体を取り付けた状態を示す概略側面図である。
【図１３】本発明を実施する形態の第四例を示す概略側面図である。
【図１４】棒状部を伸長した状態を示す概略側面図である。
【図１５】支持部の第一の腕部を示す概略側面図である。
【図１６】支持部の第二の腕部を示す概略側面図である。
【図１７】軸部に揺動部を備えた状態を示す縦断側面図である。
【図１８】軸部に揺動部を備えた状態を示す縦断正面図である。
【図１９】支持部に揺動部を備えた状態を示す概略側面図である。
【図２０】過重量の表示物を保持した状態を示す概略側面図である。
【図２１】表示物を取り付けた従来例を示す概略斜視図である。
【図２２】従来例を示す概略平面図である。
【符号の説明】
１４ａ　第一の腕部
１４ｂ　第二の腕部
１５　　　支持部
２１　　　軸部
２９　　　揺動部
３５　　　ボール部
３６　　　弾性体
４０　　　保持部
５２　　　保持部
６３　　　棒状部
７７　　　保持部
８４ａ　第一の腕部
８４ｂ　第二の腕部
８５　　　支持部
９１　　　揺動部
９４　　　棒状部
９９　　　ストッパ部材
１０１　　　ボール部
１０２　　　弾性体
Ｂ　　　設置面
Ｐ　　　表示物（平板体）
Ｆ　　表示物（幟旗）
【図１】
2004029429.tif 000003
【図２】
2004029429.tif 000004
【図３】
2004029429.tif 000005
【図４】
2004029429.tif 000006
【図５】
2004029429.tif 000007
【図６】
2004029429.tif 000008
【図７】
2004029429.tif 000009
【図８】
2004029429.tif 000010
【図９】
2004029429.tif 000011
【図１０】
2004029429.tif 000012
【図１１】
2004029429.tif 000013
【図１２】
2004029429.tif 000014
【図１３】
2004029429.tif 000015
【図１４】
2004029429.tif 000016
【図１５】
2004029429.tif 000017
【図１６】
2004029429.tif 000018
【図１７】
2004029429.tif 000019
【図１８】
2004029429.tif 000020
【図１９】
2004029429.tif 000021
【図２０】
2004029429.tif 000022
【図２１】
2004029429.tif 000023
【図２２】
2004029429.tif 000024